(57)【要約】  消費財のパッケージ（１８）は、物品を取り出すための開口部と、開口部を塞ぐ再封可能な接着ラベル（２２）とを持つ。ラベル（２２）は、下層（２４）と上層（２６）とを備える。下層（２４）は、開口部の周辺の周りに延びる下層の内部表面の第一の区域（３０）の上に提供された永久接着剤によってパッケージに（１８）貼り付けられ、下層は、パッケージの開口部に少なくとも部分的に整列する切り抜き部分（２８）を備える。上層（２６）は、上層の内部表面の後部ヒンジ区域（３２）の上に提供される永久接着剤によって少なくとも部分的に、貼り付けられ、また下層に、ヒンジ区域（３２）から遠位に延びる上層の内部表面の剥がし区域（３４）の上に提供される第二の接着剤によって少なくとも部分的に取り外し可能に下層（２４）に貼り付けられる。こうして、上層（２６）は、上層が少なくともアクセス開口部の上にある閉位置から、および切り抜き部分（２８）が見えるように上層を下層（２４）から引き上げる開位置から移動可能である。第二の接着剤は永久接着剤または半永久接着剤であり、下層（２４）と上層（２６）との間に剥離剤の層が提供される。閉位置では、上層（２６）の内部表面の剥がし区域（３４）の前端部分は少なくとも部分的に剥離剤の上にある。【選択図】図１
2018515395.tif 000002
【特許請求の範囲】
【請求項１】
消費財用の再び封じることができる容器であって、
消費財のパッケージであって、消費財を取り出すことができるアクセス開口部を持つ消費財のパッケージと、
前記パッケージの前記アクセス開口部を塞ぎ、かつ前記パッケージの前記アクセス開口部の周辺部を超えて延びる、再封可能な接着ラベルと、を備え、
前記再封可能な接着ラベルが、ラベル用材料の少なくとも下層および上層を備え、
前記下層が、前記アクセス開口部の前記周辺部の周りに延びる前記下層の前記内部表面の第一の区域上に提供される第一の永久接着剤によって前記パッケージに貼り付けられ、前記下層が前記パッケージの前記アクセス開口部と少なくとも部分的に整列した切り抜き部分を備え、
前記上層が、前記上層の前記内部表面の後部ヒンジ区域の上に提供される永久接着剤によって少なくとも部分的に永久的に前記下層に貼り付けられ、かつ前記ヒンジ区域から遠位に延びる前記上層の前記内部表面の剥がし区域の上に提供される第二の接着剤によって少なくとも部分的に取り外し可能に前記下層に貼り付けられ、その結果、前記上層は、前記上層が少なくとも前記アクセス開口部の上にある閉位置から、および前記切り抜き部分が見えるように前記上層が前記下層から引き上げられる開位置から移動可能になり、
前記第二の接着剤が永久または半永久接着剤であり、また前記再び封じることができる容器が、前記下層と前記上層との間に提供される剥離剤を備える層を更に備え、その結果、前記閉位置にある時、前記上層の前記内部表面の前記剥がし区域の前端部分が少なくとも部分的に前記剥離剤の層の上にある、再び封じることができる容器。
【請求項２】
前記剥離剤を備える前記層が、前記下層の前記外部表面の第一の区域の上に塗布され、また前記上層の前記内部表面の前記剥がし区域の前記前端部分が少なくとも部分的に、前記下層の前記外部表面の前記第一の区域の上にある、請求項１に記載の再び封じることができる容器。
【請求項３】
前記剥離剤を備える前記層が、前記下層の前記外部表面の前記第一の区域の上に印刷される、請求項２に記載の再び封じることができる容器。
【請求項４】
前記下層の前記外部表面の前記第一の区域が少なくとも第一の領域および第二の領域を備え、前記第二の領域は前記第一の領域の後部にあり、かつ前記第一の領域での剥離剤の被覆率が前記第二の領域での剥離剤の被覆率より大きい、請求項２または３に記載の再び封じることができる容器。
【請求項５】
前記第一の領域での前記剥離剤の被覆率が約６５パーセント〜約９５パーセントである、請求項４に記載の再び封じることができる容器。
【請求項６】
前記第二の領域での前記剥離剤の被覆率が約４０パーセント〜約６０パーセントである、請求項４または５に記載の再び封じることができる容器。
【請求項７】
前記上層の前記内部表面の前記後部ヒンジ区域の下にある前記下層の前記外部表面の第二の区域が実質的に剥離剤を含まない、請求項１〜６のいずれか１項に記載の再び封じることができる容器。
【請求項８】
前記内側層内の前記切り抜き部分は前記内側層の被覆部分を少なくとも部分的に区切る虚弱線によって画定され、その結果、前記アクセス開口部が見えるように前記パッケージの前記上部を持ち上げて離すように、前記被覆部分は前記内側層の前記残りの部分から部分的に分離可能であり、前記被覆部分の前記外部表面の少なくとも一部分は実質的に剥離剤を含まず、また前記容器は前記上層の前記内部表面の固定区域の上に提供される永久接着剤の層を備え、前記固定区域の周辺は前記内側層の前記被覆部分の前記周辺の中に完全に含まれ、その結果、前記被覆部分が前記外側層に永久的に貼り付けられる、請求項１〜７のいずれか１項に記載の再び封じることができる容器。
【請求項９】
前記パッケージが、２４時間あたり約１グラム／平方メートル未満の水蒸気透過率（ＭＴＶＲ）を持つ熱密封可能な柔軟な材料から形成される、請求項１〜８のいずれか１項に記載の再び封じることができる容器。
【請求項１０】
前記パッケージが、２つ以上の層を備える熱密封可能な柔軟な積層材料から形成され、前記２つ以上の層のうちの１つがアルミニウムを含み、かつ少なくとも約４マイクロメートルの厚さを持つ、請求項１〜９のいずれか１項に記載の再び封じることができる容器。
【請求項１１】
前記消費財が喫煙物品である、請求項１〜１０のいずれか１項に記載の再び封じることができる容器。
【請求項１２】
消費財用のヒンジリッド容器であって、
ボックスと、
前記ヒンジリッド容器の後部壁を横切って延びるヒンジ線に沿って前記ボックスにヒンジ留めされたリッドと、
前記ボックスの中にある、請求項１〜１１のいずれか１項に記載の再び封じることができる容器と、を備える、ヒンジリッド容器。
【請求項１３】
前記再封可能な接着ラベルの前記上層が、前記リッドの内部表面に永久的に貼り付けられ、その結果、前記リッドを開放すると、前記アクセス開口部が少なくとも部分的に見えるように前記再封可能な接着ラベルの前記上層が、前記閉位置から前記開位置に向かって移動する、請求項１２に記載のヒンジリッド容器。
【請求項１４】
前記再び封じることができる容器が、前記上層の前記前端に配置された、前記上層の前記外部表面の第一の区域の上に提供されるプライマーの層を備える、請求項１３に記載のヒンジリッド容器。
【請求項１５】
前記再封可能な接着ラベルのピーク剥がし力が約１０ニュートン未満である、請求項１３または１４に記載のヒンジリッド容器。
【発明の詳細な説明】
【技術分野】
【０００１】
本発明は、再封可能な接着ラベルを備える消費財用の容器に関する。特に本発明の容器には、喫煙物品などの細長い消費財品目用の容器としての用途がある。
【背景技術】
【０００２】
喫煙物品は通常、剛直なヒンジリッド容器内にパッケージされる。ボックス内に収容されている喫煙物品の束は一般的に、金属化紙、金属箔、またはその他の柔軟なシート材料の内側ライナー、またはパッケージ内に包装される。密封された状態の内側パッケージは、パッケージの内側の品物が少なくとも容器を最初に開くまで本来の形態に保たれている証明として消費者によって理解される。
【発明の概要】
【発明が解決しようとする課題】
【０００３】
容器は、例えば国際特許公開公報第ＷＯ−Ａ−２００８／１４２５４０号から周知であり、喫煙物品は、カバーフラップの下側に塗布された非乾燥接着剤を使用して内側パッケージに取り外し可能に貼り付けられたカラーフラップによって、取り外し可能に閉じられた抜き出し開口部付きの内側パッケージ内に密閉されている。こうしたパッケージは、ヒンジリッド容器の中に受けられてもよく、リッドの開封および閉鎖が同時にカラーフラップを開閉し、ひいては抜き出し開口部が見えるようになるように、カラーフラップはリッドの前部壁の内部表面に、永久的かつ取り外し不可能に接着される。国際特許公開広報第ＷＯ２０１６／０５９０７７号は、パッケージ内のアクセス開口部がラベル用ウェブ材料の少なくとも２つの層によって被覆される、再び封じることができる異なる容器を開示している。第一の層は、第一の接着剤によってパッケージの上に直接貼り付けられる。第二の層は第一の層上に貼り付けられ、複数回にわたり第一の層から取り外し、再び取り付けることができる自己接着性再封可能ステッカー接着ラベルとしての構造を持ち、実質的にそのように機能する。最初に開封する前は、こうした容器は、乾燥した外部条件下では、容器の中の消費財の含水量を保つ役に立ち、また熱帯地方の気候では同じように消費財を水分の吸収から保護する場合がある。しかし、開封を容易にするために、強度の低い再び封じることができる接着剤によってカラーフラップが内側パッケージに貼り付けられ、そのためにカラーフラップの開封と再閉鎖を繰り返した後、したがって１つのこうしたカラーフラップの密封効率が低下し、その時点で、特に極端な気候の下では（例えば、熱帯気候または砂漠気候）、内側パックの中の望ましい含水量を維持するのが困難になる場合がある。
【０００４】
いくつかのタイプのたばこ製品は、その含水量の変化に対して極端に感受性が高い。通常、プラスマイナス５パーセント範囲での変化、そして時にはプラスマイナス１パーセントほど低い範囲での変化が、こうしたたばこ製品の味わいまたは性質に影響する可能性がある。したがって、当業界において、消費者物品に対する容器の水分バリア特性を改善する必要性が感じられる。
【０００５】
こうした必要性に対応するためにいくつかの解決策が提唱されてきた。しかし、その中で開示される容器は、内側パッケージの最初の開封前は改善された水分バリア特性を示すが、これらは極端な気象条件下での容器の使用と関連付けられた問題に完全には対処していない。
【０００６】
したがって、内側パッケージの最初の開封前および容器の標準的な使用の間の両方で、容器の中の物品の所定の含水量を維持することができるような、新規かつ改善された消費財用の再び封じることができる容器を提供することが望ましいことになる。更に、容器が極端な気象条件に曝露される時でさえも物品の望ましい含水量を保つ能力を持つ、消費財用の改善された再び封じることができる容器を提供することが望ましいことになる。
【０００７】
上述のタイプの消費財用の再び封じることができる容器に対する別の関連のあるパラメータは、容器を開封するために必要とされる力（すなわち、容器の「開封力」）であり、なおより特定的には、最初に容器を開封するために必要とされる力である。容器を開封するために必要とされる力は、再封可能な接着ラベルが最初にパッケージの表面から剥がされる時に一般的に最大であり、容器の開封および再閉鎖を繰り返し使用する間に低下することが観察されてきた。また、最初の開封における開封力が約１８ニュートン以上である容器は不都合であると考えられることも、観察されてきた。一方で、１２ニュートン以下の開封力を有する容器は、一般的に簡単に開けられるものと考えられてきた。したがって、開封が簡単であると一般的に考えられうる再び封じることができる容器を提供することも望ましいことになる。
【課題を解決するための手段】
【０００８】
本発明の態様によると、消費財のパッケージであって、これを通して消費財を取り出すことができるアクセス開口部を持つパッケージと、パッケージのアクセス開口部を塞ぎ、かつパッケージのアクセス開口部の周辺を超えて延びる再封可能な接着ラベルであって、少なくともラベル用材料の下層および上層を備える再封可能な接着ラベルと、を備える消費財用の再び封じることができる容器が提供される。下層は、アクセス開口部の周辺部の周りに延びる下層の内部表面の第一の区域上に提供される第一の永久接着剤によってパッケージに貼り付けられ、下層はパッケージのアクセス開口部と少なくとも部分的に整列した切り抜き部分を備える。上層は、上層の内部表面の後部ヒンジ区域の上に提供される永久接着剤によって少なくとも部分的に永久的に下層に貼り付けられ、かつヒンジ区域から遠位に延びる上層の内部表面の剥がし区域の上に提供される第二の接着剤によって少なくとも部分的に取り外し可能に下層に貼り付けられ、その結果、上層は、上層が少なくともアクセス開口部の上にある閉位置から、および切り抜き部分が見えるように上層が下層から引き上げられる開位置から移動可能である。第二の接着剤は永久または半永久接着剤であり、また再び封じることができる容器は、下層と上層との間に提供される剥離剤を備える層を更に備え、その結果、閉位置にある時、上層の内部表面の剥がし区域の前端部分が少なくとも部分的に、剥離剤を含む層の上にある。
【０００９】
本発明の更なる態様によると、ボックスと、容器の後部壁を横切って延びるヒンジ線に沿ってボックスにヒンジ留めされたリッドと、ボックス内の再び封じることができる容器と、を備えるヒンジリッド容器が提供される。再び封じることができる容器は、消費財のパッケージであって、これを通して消費財を取り出すことができるアクセス開口部を持つパッケージと、パッケージのアクセス開口部を塞ぎ、かつパッケージのアクセス開口部の周辺を超えて延びる再封可能な接着ラベルであって、少なくともラベル用材料の下層および上層を備える再封可能な接着ラベルと、を備える。下層は、アクセス開口部の周辺部の周りに延びる下層の内部表面の第一の区域上に提供される第一の永久接着剤によってパッケージに貼り付けられ、下層はパッケージのアクセス開口部と少なくとも部分的に整列した切り抜き部分を備える。上層は、上層の内部表面の後部ヒンジ区域の上に提供される永久接着剤によって少なくとも部分的に永久的に下層に貼り付けられ、かつヒンジ区域から遠位に延びる上層の内部表面の剥がし区域の上に提供される第二の接着剤によって少なくとも部分的に取り外し可能に下層に貼り付けられ、その結果、上層は、上層が少なくともアクセス開口部の上にある閉位置から、および切り抜き部分が見えるように上層が下層から引き上げられる開位置から移動可能である。第二の接着剤は永久または半永久接着剤であり、また再び封じることができる容器は、下層と上層との間に提供される剥離剤を備える層を更に備え、その結果、閉位置にある時、上層の内部表面の剥がし区域の前端部分が少なくとも部分的に、剥離剤を含む層の上にある。
【００１０】
当然のことながら、本発明の１つの態様に関連して説明した任意の特徴は、本発明のその他の任意の態様にも等しく適用できる。
【００１１】
本明細書で使用される場合、「前部」、「後部」、「上側」、「下側」、「上部」、「下部」および「側部」という用語は、外側ハウジングのリッドを閉位置に備え、ヒンジ線を容器の後部に備えて、容器が直立した位置にあるときの、本発明による容器およびその構成要素の部分の相対的な位置を意味する。本発明による容器を記述する時、描写する容器の向きに関係なく、これらの用語が使用される。外側ハウジングの後部壁は、ヒンジ線を含む壁である。パッケージのアクセス開口部はパッケージの上部部分に配置され、その結果、アクセス開口部は内側パッケージの上部壁を少なくとも部分的に横切って延びる。アクセス開口部全体が内側パッケージの上部壁内に形成される場合、アクセス開口部の前部端は、内側パッケージの上部壁の前部部分内にある。アクセス開口部が内側パッケージの上部壁および前部壁を横切って延びる場合、アクセス開口部の前部端は、アクセス開口部の下縁端にもなり、かつ内側パッケージの前部壁の上部部分に位置する。
【００１２】
「長軸方向」という用語は底部から上部またはその反対の方向を意味する。「横断方向」という用語は、長軸方向と直角を成す方向を意味する。
【００１３】
「切り抜き」という用語は、前記切り抜き部分の周辺の少なくとも一部に沿って、折り目をつけた線、穿孔線、もしくは事前に切り込みを入れた線を形成することによって、または材料の一部の切除によって、下層を形成するラベル用材料が虚弱化されている、下層の表面の一部分を説明するために使用される。一部の実施形態では、切断線はすべて切り抜き部分の周辺全体に沿って形成されてもよく、そのため内側層の切り抜き部分は、内側層の中に開口部を効果的に画定するように、内側層の残りの部分からは完全に分離可能である。その他の実施形態では、切断線などの虚弱線は、切り抜き部分の３辺のみに沿って形成され、その結果、切り抜き部分は、内側層の残りの部分から部分的にのみ分離可能なカバー部分を画定し、この部分は切断線の自由端点に接続する線に沿って内側層の残りの部分に実質的にヒンジ留めされる。したがって、このようなカバー部分が、内側層の残りの部分によって画定される平面から引き上げられる時、パッケージのアクセス開口部などの内側層の下に配置される容器の要素が消費者に対して曝露され、アクセス可能になる。
【００１４】
「幅」という用語は、容器のラベルまたはフラップの要素の横断方向で測定される際の寸法を説明するために使用される。「高さ」という用語は、容器のラベルまたはフラップの要素の幅と直角をなす方向で測定される際の寸法を説明するために使用される。ラベルまたはラベルの要素を説明する時は、一般的に平坦な状態のラベルについて言及している。
【００１５】
「内部表面」という用語は、本明細書全体を通して、容器が閉位置にある時に、その容器の内部に向かって（例えば、消費財に向かって）面する、組み立てられた容器の構成要素の表面を意味するために使用される。同様に、「外部表面」という用語は、本明細書全体を通して、その容器の外部に向かって面する容器の構成要素の表面を意味するために使用される。例えば、再封可能な接着ラベルの層は、パッケージの表面から離れるように面する外部表面と、パッケージの表面に面する内部表面と、を備える。注目すべきは、内部表面または外部表面は容器の組立に使用されるブランクの一定の側には必ずしも相当しないことである。消費財の周りでブランクがどのように折り曲げられるかに応じて、容器の同じ側にある区域は、容器の内側に面する可能性も外側に面する可能性もある。
【００１６】
「ヒンジ線」という用語は、容器の要素がその周りを回転しうる線を意味する。例えば、容器を開放するために、ヒンジリッド容器のリッドは回転してもよい。こうした事例では、ヒンジ線は、例えば、ヒンジリッド容器の後部壁を形成するパネル内の折り目またはスコアラインであってもよい。
【００１７】
本明細書では、「永久接着剤」および「半永久接着剤」という用語は、２つの基体の間に（例えば、再封可能な接着ラベルの下層と、消費財のパッケージとの間に）、容器の正常かつ意図される使用中に２つの基体が実質的に分離する可能性がないように、信頼性があり、かつ確実な接続を形成する能力を持つ、一般的に粘着性の高い接着剤を意味する。事実、永久接着剤によって互いに貼り付けられた２つの基体の分離は、通常関与する一方または両方の基体の何らかの望ましくない損傷（例えば、断裂）を生じることになる。
【００１８】
「再び封じることができる接着剤」という用語は、本明細書を通して、２つの基体（例えば、再封可能な接着ラベルの上層と下層）の間に接続を形成する能力を持ち、その結果、２つの基体は互いに分離と再付着を繰返すことができ、またその結果、容器のアクセス開口部が１つのこうした接着剤によって再密封される場合に容器の水分バリア特性の著しい増加を容器が示す、一般的に粘着性の低い、取り外し可能な接着剤を説明するために使用される。これは、例えば、機械的な再封が達成されるが、最良の場合でも容器の水分バリア特性のわずかな増加のみを達成できる、フラップの係合によるアクセス開口部の再封とは対照的である。本発明による容器では、消費財のパッケージは、消費財を取り出すことができるアクセス開口部を持ち、また再封可能な接着ラベルは、アクセス開口部を塞ぎ、アクセス開口部の周辺を超えて延びる。再封可能な接着ラベルは、ラベル用材料の少なくとも下層および上層を備える。下層は、アクセス開口部の周辺部の周りに延びる下層の内部表面の第一の区域上に提供される第一の永久接着剤によってパッケージに貼り付けられ、下層はパッケージのアクセス開口部と少なくとも部分的に整列した切り抜き部分を備える。既存の容器とは対照的に、上層は、ラベルの後部に位置する上層の内部表面のヒンジ区域全体に提供される永久接着剤によって少なくとも部分的に永久的に下層に貼り付けられる。さらに、上層は、ヒンジ区域から遠位に延びる上層の内部表面の剥がし区域の上に提供される第二の接着剤によって、少なくとも部分的に取り外し可能に下層に貼り付けられる。したがって、上層は、上層が少なくともアクセス開口部の上にある閉位置から、および内側層の中の切り抜き部分が見えるように、そして消費者にパッケージ内のアクセス開口部を効果的に曝露するために、上層が下層から引き上げられる開位置から移動可能である。第二の接着剤は、永久接着剤または半永久接着剤である。さらに、再び封じることができる容器は、下層と上層との間に提供される剥離剤を含む層を備え、その結果、閉位置では、上層の内部表面の剥がし区域の前端部分は少なくとも部分的に、剥離剤を含む層の上にある。
【００１９】
本発明による再び封じることができる容器は、上層の内部表面上の第二の再び封じることができる接着剤と、下層の外部表面上の剥離剤との組み合わせのおかげで、簡単な開封を提供する。同時に、本発明による再び封じることができる容器は、容器の最初の開封の前後両方において、容器の中の消費者製品に対する水分の吸収または損失に対する保護の改善を提供する。これは、直接消費財のパッケージと接触する下層は、パッケージに対して移動することを意味せず、例えば、特に粘着性の永久接着剤によって下層をパッケージに貼り付けることによって、再封可能な接着ラベルとパッケージとの間の特に強い結合を達成することができるためである。こうして、容器の最初の開封の前後両方で、パッケージのより効果的な密封が達成される場合があり、その結果、パッケージ内の消費財の鮮度が好都合にもより長い期間保たれる場合があり、また製品の保存寿命を有利にも延ばすことができる。これは、熱帯気候では特に有利である。
【００２０】
さらに、本発明による容器の再封可能な接着ラベルの構築は、アクセス開口部を見えるために必要とされる力、すなわち再封可能な接着ラベルの上層を下層から引き離すために必要とされる「剥がし力」の強化された制御を可能にする。上層と下層との間に提供される剥離剤の量を変化させることによって、有利にも剥がし力を細かく調節することができる。さらに、以下により詳細に説明するように、一部の実施形態では、ラベルの異なる部分が異なる剥がし力の値を確実に示すようにすることができる。これは、閉位置と開位置との間でのラベルの移動間に再封可能な接着ラベルにかけられる引張をより簡単に効果的に制御できるようにする。
【００２１】
本発明による再封可能な接着ラベルを有する再び封じることができるパッケージは、ヒンジリッドハウジングの中に受けられてもよく、また再封可能な接着ラベルとリッドとの間に接続が提供されてもよく、その結果、閉位置と開位置との間のリッドの移動は、再封可能な接着剤層の上層もまたそれぞれ閉位置と開位置との間で動く原因となる。したがって、パッケージのアクセス開口部は、ヒンジリッドハウジングのリッドを消費者が開封する時に「自動的に」見えるようになる場合がある。これらの実施形態では、剥がし力を細かく制御できることは、リッドおよび内側パッケージをより滑らかにかつ同時に開封および閉鎖できるようにするため、なお一層有利である。特に、これは容易に開封できると一般的に知覚される消費財用の容器を提供することを可能にする。
【００２２】
こうした容器では、再封可能な接着ラベルの上層および下層の様々な区域にわたる異なる接着剤の配置のおかげで、リッドが開位置へと移動し、その結果として上層が下層から引き上げられる時、上層が容易にＳ字型（すなわち、１つの変曲点を有する曲線の形態を持つ形状）となることが、驚くべきことに分かった。これは、外側ヒンジリッド容器のリッドが閉位置と開位置との間で移動する時、それぞれ閉位置と開位置との間での上層の移動が非常に簡単になるように容器のより緩やかな開封および閉鎖を助長することが観察されたという点で望ましい。
【００２３】
更に、本発明による再び封じることができる容器は製造が簡単で、かつ既存の装置の大規模な修正を必要としない。
【００２４】
最も一般的な言葉では、本発明による容器は、消費財のパッケージを備え、パッケージはアクセス開口部を持ち、これを通して消費財を取り出すことができる。更に、容器は、パッケージのアクセス開口部を塞ぎ、かつパッケージのアクセス開口部の周辺を超えて延びる、再封可能な接着ラベルを備え、再封可能な接着ラベルは、少なくともラベル用材料の下層および上層を備える。下層は、アクセス開口部の周辺部の周りに延びる下層の内部表面の第一の区域上に提供される第一の永久接着剤によってパッケージに貼り付けられ、下層はパッケージのアクセス開口部と少なくとも部分的に整列した切り抜き部分を備える。さらに、上層は、上層の内部表面の後部ヒンジ区域の上に提供される永久接着剤によって、少なくとも部分的に永久的に下層に貼り付けられる。さらに、上層は、ヒンジ区域から遠位に延びる上層の内部表面の剥がし区域の上に提供される第二の接着剤によって、少なくとも部分的に取り外し可能に下層に貼り付けられる。こうして、上層は、上層が少なくともアクセス開口部の上にある閉位置から、および切り抜き部分が見えるように上層が下層から引き上げられる開位置から移動可能である。第二の接着剤は永久または半永久接着剤であり、かつ再び封じることができる容器は下層と上層との間に提供される剥離剤を備える層を更に備える。したがって、閉位置では、上層の内部表面の剥がし区域の前端部分は少なくとも部分的に、剥離剤を備える層の上にある。
【００２５】
剥離剤は、当業者に周知のいくつかのシリコーン系の剥離剤のうちの任意の１つであってもよい。これらには、幅広い多様なオルガノポリシロキサンを含み、ポリジメチルシロキサン、エポキシポリシロキサン、およびこれに類するものなどの高分子量シリコーンポリマーまたはコポリマーが好まれる。剥離剤は、印刷可能な組成物の形態であることが好ましい。別の方法として、当業者に周知の一部の適切なインクが剥離剤として使用されてもよい。一部の実施形態では、剥離剤を備える層は、下層の外部表面の第一の区域の上に塗布され、上層の内部表面の第一の区域の前端部分は少なくとも部分的に、下層の外部表面の第一の区域の上にある。剥離剤を備える層は、下層の外部表面の第一の区域の上に印刷プロセスによって塗布されることが好ましい。これは、下層の表面の特定箇所の表面上に細かく制御された量の剥離剤を塗布することが簡単なため、有利である。
【００２６】
下層の外部表面の第一の区域は少なくとも第一の領域と第二の領域とを備え、第二の領域は第一の領域の後部にあることが好ましい。第一の領域での剥離剤の被覆率は、第二の領域での剥離剤の被覆率より大きい。
【００２７】
「剥離剤の被覆率」という表現は、再封可能な接着ラベルの（例えば、再封可能な接着ラベルの下層の）表面の領域の、すなわち剥離剤でコーティングまたは被覆される表面積の部分または割合を説明するために使用される。剥離剤が領域の表面全体にわたって塗布される場合、剥離剤の被覆率は１００である。剥離剤を領域内に全く塗布しない場合は、剥離剤の被覆率は０である。
【００２８】
例として、再封可能な接着ラベルの表面の領域の上に不連続な繰り返しパターンで剥離剤を塗布してもよい。不連続な繰り返しパターンは、直線状の列、非直線状の列、波状の列、およびこれらの組み合わせなどの、複数の離間した列から成っていてもよい。別の方法として、剥離剤を規則正しく離間した点または島で塗布してもよい。一部の実施形態では、剥離剤の島はタイプフォントの形状を有してもよい。「規則正しく離間」という表現は、各々の点とその隣接する点との間の距離が領域にわたって実質的に一定であることを含意する。明らかなように、これは印刷操作によって剥離剤を塗布する時に好都合なことに達成することができる。こうして、有利にも、０〜１００の範囲の剥離剤の被覆率を、第一の領域および第二の領域に提供することができる。例えば、剥離剤を適切なパターンによって塗布することによって、領域の表面の５０パーセントを剥離剤で被覆することができる。
【００２９】
第一の領域では、剥離剤の被覆率は、少なくとも約６５パーセントであることが好ましく、少なくとも約７０パーセントであることがより好ましい。さらに、または別の方法として、第一の領域での剥離剤の被覆率は、約９５パーセント未満であることが好ましく、約９０パーセント未満であることがより好ましい。
【００３０】
第二の領域では、剥離剤の被覆率は、少なくとも約５０パーセントであることが好ましく、少なくとも約６０パーセントであることがより好ましい。さらに、または別の方法として、第二の領域での剥離剤の被覆率は、約９０パーセント未満であることが好ましく、約８０パーセント未満であることがより好ましい。
【００３１】
一般に、剥離剤の被覆率がより大きい下層の領域から上層を剥がして離すことは、剥離剤の被覆率がより小さい下層の領域から上層を剥がして離すことよりも簡単である。
【００３２】
再び封じることができる容器では、消費者が下にある基体からラベルを引き離し始める時に剥がし力が最高であることが観察され、その後は極大値と極小値との間を行ったり来たりする。当初のピーク剥がし力が絶対的な最大値となることが観察され、これはその後得られる極大値より一般的に著しくより高い。
【００３３】
下層の表面の異なる領域が異なる剥離剤の被覆率を持つ本発明による容器では、例えば、消費者が上層を下層から引き離し始めることが特に簡単になるように、内側層の異なる領域から上層を剥がして離すために必要とされる力を細かく調節することができる。いかなる理論にも束縛されるものではないが、これは上述の当初のピーク剥がし力の著しい低下に対応し、これは特に開封が容易な容器であるという望ましい知覚を消費者に提供する上で非常に有利である。
【００３４】
同時に、上層が閉位置からパッケージのアクセス開口部を曝露するように次第に移動するのに従い、剥がしに対する抵抗を徐々に増加するよう確実にすることが可能である。これは有利にも、パッケージの開封の簡単さと、上層と下層との間の密封および再密封を目的とした十分な接着に対する必要性との間に望ましいバランスを提供する。
【００３５】
第一の領域および第二の領域は、任意の適切な形状を持っていてもよい。一部の好ましい実施形態では、第一の領域および第二の領域は実質的に長方形である。下層の外部表面上にバンドを画定するように、第一の領域および第二の領域が下層の幅全体を横切って横断方向に延びることがなおより好ましい。
【００３６】
第一の領域および第二の領域は、互いに実質的に隣接する場合がある。別の方法として、第一の領域および第二の領域は、下層の幅と直角をなす方向について互いに距離を置いていてもよい。一部の好ましい実施形態では、第一の領域および第二の領域は、下層の幅全体を横切って横断方向に延びる、隣接した横断方向のバンドを画定する。
【００３７】
一部の特に好ましい実施形態では、下層の外部表面の第一の区域は、第二の領域の後部に第三の領域を更に備える。第二の領域での剥離剤の被覆率は、第三の領域での剥離剤の被覆率より大きい。第三の領域では、剥離剤の被覆率は、少なくとも約３０パーセントであることが好ましく、少なくとも約４０パーセントであることがより好ましい。さらに、または別の方法として、第三の領域での剥離剤の被覆率は、約６０パーセント未満であることが好ましく、約７０パーセント未満であることがより好ましい。
【００３８】
例示的な実施形態では、剥離剤の被覆率は第一の領域では約９５パーセントであり、第二の領域では約８０パーセントであり、また第三の領域では約５０パーセントである。
【００３９】
上層の内部表面の後部ヒンジ区域の下にある下層の外部表面の第二の区域は、実質的に剥離剤を含まないことが好ましい。永久接着剤が塗布される上層の区域に面する下層の外部表面の後部における１つのこうした区域が実質的に剥離剤を含まないことを確実にすることによって、特に隙間のない安定な上層と下層との間の接合を有利にも確保することができる。実際には、再封可能なラベルの後部において互いにしっかりと貼り付けられた２つの層を持つことによって、下層に常時接続されたままである一方で上層を下層から剥がして離すことができるように、下層に対して周りに回転するように、上層のために強いヒンジが効果的に提供される。
【００４０】
上層の内部表面の前端に接着剤のない区域が提供されることが好ましい。これは、使用中に上層がそれ自体にくっつく可能性を低減する上で有利である。
【００４１】
一部の好ましい実施形態では、内側層内の切り抜き部分は、内側層の被覆部分を少なくとも部分的に区切る虚弱線によって画定され、その結果、被覆部分は、アクセス開口部が見えるようにパッケージの上部が引き上げられる内側層の残りの部分から部分的に分離可能である。さらに、容器は、上層の内部表面の固定区域の上に提供される永久接着剤の層を備え、固定区域は内側層の被覆部分の周辺の中に完全に含まれ、その結果、被覆部分は外側層に永久的に貼り付けられる。こうした実施形態では、下層の被覆部分の外部表面の少なくとも一部分は、実質的にいかなる剥離剤も含まず、その結果、上層と下層との間の強い結合が常時確保される。
【００４２】
したがって、これらの剥離剤を備える１つ以上のバンドが下層の外部表面の上に提供される実施形態では、これらは上層の内部表面の固定区域の下にある、下層の外側区域の部分を横切って延びないことが好ましい。
【００４３】
一部の実施形態では、上層の内部表面の固定区域は、下層内の被覆部分の一部のみの上にあってもよい。別の方法として、固定区域は、下層内の被覆部分の全体の上にあってもよく、かつヒンジ区域までずっと後方に延びてもよい。したがって、ヒンジ区域と固定区域とは、上層の内部表面上に永久接着剤を含む、実質的にＴ字型の区域をともに形成し、ヒンジ区域は一般的にＴ字の細い横棒を画定し、固定区域は通常Ｔ字の比較的太い縦棒を画定する。
【００４４】
パッケージは、２４時間あたり約１グラム／平方メートル未満の水蒸気透過率（ＭＴＶＲ）を持つ熱密封可能な柔軟な材料から形成されることが好ましい。パッケージが、２つ以上の層を備える熱密封可能な柔軟な積層材料から形成され、２つ以上の層のうちの１つがアルミニウムを含み、かつ少なくとも約４マイクロメートルの厚さを持つことがより好ましい。アルミニウムを含む層は、少なくとも約６マイクロメートルの厚さを持つことがなおより好ましい。
【００４５】
さらに、または別の方法として、アルミニウムを含む層は約１２マイクロメートル未満の厚さを持つことが好ましい。アルミニウムを含む層は、約１０マイクロメートル未満の厚さを持つことがより好ましい。
【００４６】
本発明による容器には、消費財用の容器、特に喫煙物品などの細長い消費財用の容器としての用途があることが好ましい。しかし、これはいくつかの他のタイプの消費財用にも使用することができる。
【００４７】
一部の好ましい実施形態では、再封可能な接着ラベルの外側層が、リッドの内部表面に永久的に貼り付けられ、その結果、リッドを開放すると、パッケージのアクセス開口部が少なくとも部分的に見えるように、再封可能な接着ラベルの外側層が、閉位置から開位置に向かって移動する。
【００４８】
再び封じることができる容器は、上層の前端に配置された、上層の外部表面の第一の区域の上に提供されるプライマーの層を備えることが好ましい。これは、プライマーにより上層が外側のヒンジリッド容器のリッドにしっかりと付着することが簡単になるため有利である。上層をリッドに強く固定することによって、ひいてはリッドの開封と閉鎖の繰り返しにもかかわらず、上層がリッドから引き離される可能性が低くなるので、「自動」の開封機構の信頼性を改善することができる。
【００４９】
「剥がし力」という用語は、本明細書では、再封可能な接着ラベルの下層から上層を引き離すために必要とされる力を説明するために使用される。下層から上層を引き離し始めるために「ピーク剥がし力」が一般的に必要とされるのに対して、下層から上層の残りの部分を後部ヒンジ区域までずっと漸進的に引き上げて離し続けるためには通常より小さい力しか必要とされないことが観察されてきた。一般に、上層が下層から漸進的に引き離される際に、剥がし力が極大値と極小値との間で行ったり来たりすることが観察されてきた。これは、再び封じることができる容器がヒンジリッドハウジングのボックスの中に受けられ、かつ上層がリッドに貼り付けられる本発明による容器、すなわち、閉位置と開位置との間のリッドの動きが再封可能な接着ラベルの上層に剥がし力を適用することによる容器でも生じる。
【００５０】
したがって、関連のある間隔全体にわたって測定される剥がし力関数の平均値である「平均剥がし力」に言及することは有用である。実際には、剥がし力は下層から上層が後部ヒンジ区域までずっと剥がされる（完全な開位置）際に測定され、微積分学でいう「関数の平均値」の許容された定義により、平均剥がし力が次に計算される。
【００５１】
再封可能な接着ラベルの平均剥がし力に対する許容できる値、すなわち、ラベルの上層をラベルの下層から剥がすために必要とされる平均力は、約０．１５ニュートン〜約１ニュートンと考えられる。
【００５２】
本発明による容器内の再封可能なラベルの平均剥がし力は、約０．３５〜約０．５５ニュートンであることが好ましく、約０．４０ニュートン〜約０．５０ニュートンであることがより好ましい。
【００５３】
上層を下層から引き離し始めるために必要とされるピーク剥がし力は、約１０ニュートン未満であることが好ましく、約８ニュートン未満であることがより好ましく、約５ニュートン未満であることがなおより好ましい。一部の好ましい実施形態では、再封可能な接着ラベルのピーク剥がし力は、約２ニュートン〜約１０ニュートンである。
【００５４】
さらに、または別の方法として、再封可能な接着ラベルのピーク剥がし力は、再封可能な接着ラベルの平均剥がし力の約１２倍未満であることが好ましい。再封可能な接着ラベルのピーク剥がし力は、再封可能な接着ラベルの平均剥がし力の１０倍未満であることがより好ましい。ピーク開封力は、再封可能な接着ラベルの平均剥がし力の約８倍未満であることがなおより好ましい。
【００５５】
ヒンジリッド容器は、厚紙、板紙、プラスチック、金属、またはその組み合わせを含むがこれに限定されない、任意の適切な材料または材料の組み合わせのブランクから形成されてもよい。そのブランクは、約１００グラム／平方メートル〜約３５０グラム／平方メートルの重さを有する層状厚紙ブランクであることが好ましい。
【００５６】
ヒンジリッド容器は、随意に外側ラッパーを含んでもよく、これは、例えば、高密度または低密度ポリエチレン、ポリプロピレン、方向性ポリプロピレン、ポリ塩化ビニリデン、セルロースフィルム、またはその組み合わせなどの透明高分子フィルムであることが好ましく、また外側ラッパーは、従来的な方法で適用される。外側ラッパーはティアテープを含んでもよい。さらに、外側ラッパーは画像、消費者情報、またはその他のデータを印刷されていてもよい。
【００５７】
再封可能な接着ラベルの層のための適切な材料は当業者には周知であろう。実施例としては、ポリプロピレン、ポリエチレンテレフタラート、ポリエチレンなどの熱可塑性樹脂材料が挙げられる。好ましい一実施形態では、下層は、ポリプロピレンを含み、上層は、ポリエチレンテレフタラートを含む。
【００５８】
一部の実施形態では、上層は下層より厚い。
【００５９】
本発明による容器では、上層は少なくとも約３０マイクロメートルの厚さを持つことが好ましい。上層は、少なくとも約３５マイクロメートルの厚さを持つことがより好ましい。さらに、または別の方法として、上層は約７０マイクロメートル未満の厚さを持つことが好ましい。上層は、約６０マイクロメートル未満の厚さを持つことがより好ましい。好ましい実施形態では、上層は約５０マイクロメートルの厚さを持つ。
【００６０】
下層は、少なくとも約２０マイクロメートルの厚さを持つことが好ましい。下層は、少なくとも約２５マイクロメートルの厚さを持つことがより好ましい。さらに、または別の方法として、下層は約４０マイクロメートル未満の厚さを持つことが好ましい。下層は、約３５マイクロメートル未満の厚さを持つことがより好ましい。好ましい実施形態では、下層は約３０マイクロメートルの厚さを持つ。
【００６１】
本発明による容器の一部の好ましい実施形態では、上層は、約５０マイクロメートルの厚さを持ち、また下層は約３０マイクロメートルの厚さを持つ。
【００６２】
本発明による容器で使用するために適切ないくつかの再び封じることができる半永久接着剤および永久接着剤が市販されており、また当業者には周知であろう。
【００６３】
外側のヒンジリッド容器は、幅の狭い２つの壁によって間隙を介した、幅の広い２つの壁を備える直方体であることが好ましい。本発明によるヒンジリッド容器は、直角の長軸方向の端と直角の横断方向の端とを有する直方体の形状であってもよい。別の方法として、ヒンジリッド容器は、１つ以上の長軸方向の丸みのある端、横断方向の丸みのある端、長軸方向の丸みを付けた端、または横断方向の丸みを付けた端、またはその組み合わせを含んでもよい。
【００６４】
ここで、以下の添付図面を参照しながら本発明をさらに説明するが、これは例証としてのみである。
【図面の簡単な説明】
【００６５】
【図１】図１は、本発明による容器の概略的な斜視図を示す。
【図２】図２は、本発明による容器のためのラベルの下層の内部表面の概略的な上面図を示す。
【図３】図３は、図２のラベルの下層の外部表面の概略的な上面図を示す。
【図４】図４は、図２のラベルの上層の内部表面の概略的な上面図を示す。
【図５】図５は、図２のラベルの上層の外部表面の概略的な上面図を示す。
【図６】図６は、本発明による容器のためのラベルの別の実施形態の上層の内部表面の概略的な上面図を示す。
【発明を実施するための形態】
【００６６】
図１は、本発明による容器１０を示す。容器１０は、直方体であり、かつボックス１４とリッド１６とを含む、外側ハウジング１２を備える。リッド１６は、ハウジング１２の後部壁を横切って延びるヒンジ線を中心としてヒンジ留めされ、かつ開位置（図１に示す）と閉位置との間で回転可能である。更に、容器１０は、ボックス１４の中に収容されている喫煙物品の内側パッケージ１８を備える。内側パッケージ１８は、内側パッケージの上部壁および前部壁を横切って延びるアクセス開口部を備える。リッド１６が開位置にある時に、アクセス開口部を通して内側パッケージ１８内に含有される喫煙物品を取り出すことができる。内側パッケージ１８は、パッケージのアクセス開口部を塞ぎ、かつパッケージのアクセス開口部の周辺部を超えて延びる、再封可能な接着ラベル２２を備える。より詳細には、再封可能な接着ラベル２２は、ラベル用材料の少なくとも下層２４および上層２６を備える。下層２４はポリプロピレンを含み、かつ約３０マイクロメートルの厚さを持つ。上層２６はポリエチレンテレフタラートを含み、かつ約５０マイクロメートルの厚さを持つ。
【００６７】
下層２４は、内側パッケージ１８のアクセス開口部２０と少なくとも整列する切り抜き部分２８を備え、かつ下層２４の内部表面の第一の区域３０（図２を参照のこと）の上に提供されたアクセス開口部の周辺の周りに延びる第一の永久接着剤によって内側パッケージ１８に貼り付けられる。
【００６８】
上層２６は、上層２６の内部表面の後部ヒンジ区域３２（図４を参照のこと）の上に提供される永久接着剤によって部分的に永久的に下層２４に貼り付けられる。さらに、上層２６は、後部ヒンジ区域３２から遠位に延びる、上層の内部表面の剥がし区域３４（図５参照のこと）の上に提供される第二の接着剤によって部分的に取り外し可能に下層２４に貼り付けられ、その結果、上層２６は、上層２６が少なくともアクセス開口部２０の上にある閉位置から、および切り抜き部分２８が見えるように上層２６が下層２４から引き上げられる開位置から移動可能である。第二の接着剤は永久接着剤である。上層２６もリッド１６の内部表面に永久的に貼り付けられ、その結果、リッド１６を開放すると、アクセス開口部２０が少なくとも部分的に見えるように再封可能な接着ラベル２２の上層２６は閉位置から開位置に向かって移動する。
【００６９】
さらに、再び封じることができる容器１０は、下層２４と上層２６との間に提供されるシリコーン系の剥離剤を含む層を備え、その結果、閉位置では、上層の内部表面の剥がし区域３４の前端部分は少なくとも部分的に、剥離剤を含む層の上にある。より詳細には、剥離剤を備える層は、下層２４の外部表面の第一の区域３６（図３を参照のこと）の上に印刷することによって塗布され、上層２６の内部表面の剥がし区域３４の前端部分は、少なくとも部分的に下層２４の外部表面の第一の区域３６の上にある。
【００７０】
図３に図示されるように、下層２４の外部表面の第一の区域３６は、少なくとも第一の領域３８、第二の領域４０、および第三の領域４２を備える。第二の領域４０は、第一の領域３８と実質的に隣接し、かつその後方にある。第三の領域４２、第二の領域４０と実質的に隣接し、かつその後方にある。第一の領域３８では、剥離剤の被覆率は約９５パーセントである。第二の領域４０では、剥離剤の被覆率は約８０パーセントである。第三の領域４２では、剥離剤の被覆率は約５０パーセントである。
【００７１】
上層２６の内部表面の後部ヒンジ区域３０の下にある下層２４の外部表面の第二の区域４４は、実質的に剥離剤を含まない。さらに、図４に図示されるように、上層２６の前端に配置される、上層の内部表面の更なる区域４６は、実質的に接着剤を含まない。
【００７２】
図２〜図５に示す実施形態では、内側層２４内の切り抜き部分２８は、内側層２４の被覆部分５０を少なくとも部分的に区切る虚弱線４８によって画定される。こうして、被覆部分５０は、アクセス開口部２０が見えるように、内側パッケージ１８の上部から引き上げられるように、内側層２４の残りの部分から部分的に分離可能である。被覆部分５０の外部表面の少なくとも一部分は、実質的に剥離剤を含まない。さらに、容器１０は、上層の内部表面の固定区域５２（図４を参照のこと）の上に提供される永久接着剤の層を備え、固定区域の周辺は内側層の被覆部分５０の周辺の中に完全に含まれる。こうして、被覆部分５０は外側層２４に永久的に貼り付けられる。
【００７３】
図５に図示されるように、プライマーの層は、上層２６の前端に配置される、上層の外部表面の第一の区域５４の上に提供される。再封可能な接着ラベル２２の上層２６は、第一の区域５４内のプライマーの層にわたって提供される永久接着剤によって外側ハウジング１２のリッド１６に強く貼り付けられる。
【００７４】
本発明による容器で使用するための再封可能な接着ラベルの更なる実施形態は、再封可能な接着ラベルの上層１２６の内部表面を示す図６を参照しながら説明される。上層１２６は、本発明による容器で使用するための再封可能な接着ラベルを提供するために、例えば、図２および図３の下層と組み合わせられてもよい。
【００７５】
１つのこうした実施形態では、上層１２６の内部表面の固定区域１５２の上に永久接着剤の層が提供される。固定区域１５２は、下層内の被覆部分の全体の上にあり、かつ後部ヒンジ区域１３０までずっと効果的に後方に延びる。こうして、ヒンジ区域１３２および固定区域１５２は一緒に、上層の内部表面上に永久接着剤を含む実質的にＴ字型の区域を形成する。後部ヒンジ区域１３０はＴ字型の横棒を画定し、固定区域１５２はＴ字型の太い縦棒を画定する。さらに、上層１２６の前端に配置される、上層の内部表面のタブを画定する区域１４６は、実質的に接着剤を含まない。
【図１】
2018515395.tif 000003
【図２】
2018515395.tif 000004
【図３】
2018515395.tif 000005
【図４】
2018515395.tif 000006
【図５】
2018515395.tif 000007
【図６】
2018515395.tif 000008
【手続補正書】
【提出日】平成29年11月30日(2017.11.30)
【手続補正１】
【補正対象書類名】明細書
【補正対象項目名】全文
【補正方法】変更
【補正の内容】
【発明の詳細な説明】
【技術分野】
【０００１】
本発明は、再封可能な接着ラベルを備える消費財用の容器に関する。特に本発明の容器には、喫煙物品などの細長い消費財品目用の容器としての用途がある。
【背景技術】
【０００２】
喫煙物品は通常、剛直なヒンジリッド容器内にパッケージされる。ボックス内に収容されている喫煙物品の束は一般的に、金属化紙、金属箔、またはその他の柔軟なシート材料の内側ライナー、またはパッケージ内に包装される。密封された状態の内側パッケージは、パッケージの内側の品物が少なくとも容器を最初に開くまで本来の形態に保たれている証明として消費者によって理解される。
【発明の概要】
【発明が解決しようとする課題】
【０００３】
容器は、例えば国際特許公開公報第ＷＯ−Ａ−２００８／１４２５４０号から周知であり、喫煙物品は、カバーフラップの下側に塗布された非乾燥接着剤を使用して内側パッケージに取り外し可能に貼り付けられたカラーフラップによって、取り外し可能に閉じられた抜き出し開口部付きの内側パッケージ内に密閉されている。こうしたパッケージは、ヒンジリッド容器の中に受けられてもよく、リッドの開封および閉鎖が同時にカラーフラップを開閉し、ひいては抜き出し開口部が見えるようになるように、カラーフラップはリッドの前部壁の内部表面に、永久的かつ取り外し不可能に接着される。国際特許公開広報第ＷＯ２０１６／０５９０７７号は、パッケージ内のアクセス開口部がラベル用ウェブ材料の少なくとも２つの層によって被覆される、再び封じることができる異なる容器を開示している。第一の層は、第一の接着剤によってパッケージの上に直接貼り付けられる。第二の層は第一の層上に貼り付けられ、複数回にわたり第一の層から取り外し、再び取り付けることができる自己接着性再封可能ステッカー接着ラベルとしての構造を持ち、実質的にそのように機能する。最初に開封する前は、こうした容器は、乾燥した外部条件下では、容器の中の消費財の含水量を保つ役に立ち、また熱帯地方の気候では同じように消費財を水分の吸収から保護する場合がある。しかし、開封を容易にするために、強度の低い再び封じることができる接着剤によってカラーフラップが内側パッケージに貼り付けられ、そのためにカラーフラップの開封と再閉鎖を繰り返した後、したがって１つのこうしたカラーフラップの密封効率が低下し、その時点で、特に極端な気候の下では（例えば、熱帯気候または砂漠気候）、内側パックの中の望ましい含水量を維持するのが困難になる場合がある。
【０００４】
いくつかのタイプのたばこ製品は、その含水量の変化に対して極端に感受性が高い。通常、プラスマイナス５パーセント範囲での変化、そして時にはプラスマイナス１パーセントほど低い範囲での変化が、こうしたたばこ製品の味わいまたは性質に影響する可能性がある。したがって、当業界において、消費者物品に対する容器の水分バリア特性を改善する必要性が感じられる。
【０００５】
こうした必要性に対応するためにいくつかの解決策が提唱されてきた。しかし、その中で開示される容器は、内側パッケージの最初の開封前は改善された水分バリア特性を示すが、これらは極端な気象条件下での容器の使用と関連付けられた問題に完全には対処していない。
【０００６】
したがって、内側パッケージの最初の開封前および容器の標準的な使用の間の両方で、容器の中の物品の所定の含水量を維持することができるような、新規かつ改善された消費財用の再び封じることができる容器を提供することが望ましいことになる。更に、容器が極端な気象条件に曝露される時でさえも物品の望ましい含水量を保つ能力を持つ、消費財用の改善された再び封じることができる容器を提供することが望ましいことになる。
【０００７】
上述のタイプの消費財用の再び封じることができる容器に対する別の関連のあるパラメータは、容器を開封するために必要とされる力（すなわち、容器の「開封力」）であり、なおより特定的には、最初に容器を開封するために必要とされる力である。容器を開封するために必要とされる力は、再封可能な接着ラベルが最初にパッケージの表面から剥がされる時に一般的に最大であり、容器の開封および再閉鎖を繰り返し使用する間に低下することが観察されてきた。また、最初の開封における開封力が約１８ニュートン以上である容器は不都合であると考えられることも、観察されてきた。一方で、１２ニュートン以下の開封力を有する容器は、一般的に簡単に開けられるものと考えられてきた。したがって、開封が簡単であると一般的に考えられうる再び封じることができる容器を提供することも望ましいことになる。
【課題を解決するための手段】
【０００８】
本発明の態様によると、消費財のパッケージであって、これを通して消費財を取り出すことができるアクセス開口部を持つパッケージと、パッケージのアクセス開口部を塞ぎ、かつパッケージのアクセス開口部の周辺を超えて延びる再封可能な接着ラベルであって、少なくともラベル用材料の下層および上層を備える再封可能な接着ラベルと、を備える消費財用の再び封じることができる容器が提供される。下層は、アクセス開口部の周辺部の周りに延びる下層の内部表面の第一の区域上に提供される第一の永久接着剤によってパッケージに貼り付けられ、下層はパッケージのアクセス開口部と少なくとも部分的に整列した切り抜き部分を備える。上層は、上層の内部表面の後部ヒンジ区域の上に提供される永久接着剤によって少なくとも部分的に永久的に下層に貼り付けられ、かつヒンジ区域から遠位に延びる上層の内部表面の剥がし区域の上に提供される第二の接着剤によって少なくとも部分的に取り外し可能に下層に貼り付けられ、その結果、上層は、上層が少なくともアクセス開口部の上にある閉位置から、および切り抜き部分が見えるように上層が下層から引き上げられる開位置から移動可能である。第二の接着剤は永久接着剤であり、また再び封じることができる容器は、下層と上層との間に提供される剥離剤を備える層を更に備え、その結果、閉位置にある時、上層の内部表面の剥がし区域の前端部分が少なくとも部分的に、剥離剤を含む層の上にある。
【０００９】
本発明の更なる態様によると、ボックスと、容器の後部壁を横切って延びるヒンジ線に沿ってボックスにヒンジ留めされたリッドと、ボックス内の再び封じることができる容器と、を備えるヒンジリッド容器が提供される。再び封じることができる容器は、消費財のパッケージであって、これを通して消費財を取り出すことができるアクセス開口部を持つパッケージと、パッケージのアクセス開口部を塞ぎ、かつパッケージのアクセス開口部の周辺を超えて延びる再封可能な接着ラベルであって、少なくともラベル用材料の下層および上層を備える再封可能な接着ラベルと、を備える。下層は、アクセス開口部の周辺部の周りに延びる下層の内部表面の第一の区域上に提供される第一の永久接着剤によってパッケージに貼り付けられ、下層はパッケージのアクセス開口部と少なくとも部分的に整列した切り抜き部分を備える。上層は、上層の内部表面の後部ヒンジ区域の上に提供される永久接着剤によって少なくとも部分的に永久的に下層に貼り付けられ、かつヒンジ区域から遠位に延びる上層の内部表面の剥がし区域の上に提供される第二の接着剤によって少なくとも部分的に取り外し可能に下層に貼り付けられ、その結果、上層は、上層が少なくともアクセス開口部の上にある閉位置から、および切り抜き部分が見えるように上層が下層から引き上げられる開位置から移動可能である。第二の接着剤は永久接着剤であり、また再び封じることができる容器は、下層と上層との間に提供される剥離剤を備える層を更に備え、その結果、閉位置にある時、上層の内部表面の剥がし区域の前端部分が少なくとも部分的に、剥離剤を含む層の上にある。
【００１０】
当然のことながら、本発明の１つの態様に関連して説明した任意の特徴は、本発明のその他の任意の態様にも等しく適用できる。
【００１１】
本明細書で使用される場合、「前部」、「後部」、「上側」、「下側」、「上部」、「下部」および「側部」という用語は、外側ハウジングのリッドを閉位置に備え、ヒンジ線を容器の後部に備えて、容器が直立した位置にあるときの、本発明による容器およびその構成要素の部分の相対的な位置を意味する。本発明による容器を記述する時、描写する容器の向きに関係なく、これらの用語が使用される。外側ハウジングの後部壁は、ヒンジ線を含む壁である。パッケージのアクセス開口部はパッケージの上部部分に配置され、その結果、アクセス開口部は内側パッケージの上部壁を少なくとも部分的に横切って延びる。アクセス開口部全体が内側パッケージの上部壁内に形成される場合、アクセス開口部の前部端は、内側パッケージの上部壁の前部部分内にある。アクセス開口部が内側パッケージの上部壁および前部壁を横切って延びる場合、アクセス開口部の前部端は、アクセス開口部の下縁端にもなり、かつ内側パッケージの前部壁の上部部分に位置する。
【００１２】
「長軸方向」という用語は底部から上部またはその反対の方向を意味する。「横断方向」という用語は、長軸方向と直角を成す方向を意味する。
【００１３】
「切り抜き」という用語は、前記切り抜き部分の周辺の少なくとも一部に沿って、折り目をつけた線、穿孔線、もしくは事前に切り込みを入れた線を形成することによって、または材料の一部の切除によって、下層を形成するラベル用材料が虚弱化されている、下層の表面の一部分を説明するために使用される。一部の実施形態では、切断線はすべて切り抜き部分の周辺全体に沿って形成されてもよく、そのため内側層の切り抜き部分は、内側層の中に開口部を効果的に画定するように、内側層の残りの部分からは完全に分離可能である。その他の実施形態では、切断線などの虚弱線は、切り抜き部分の３辺のみに沿って形成され、その結果、切り抜き部分は、内側層の残りの部分から部分的にのみ分離可能なカバー部分を画定し、この部分は切断線の自由端点に接続する線に沿って内側層の残りの部分に実質的にヒンジ留めされる。したがって、このようなカバー部分が、内側層の残りの部分によって画定される平面から引き上げられる時、パッケージのアクセス開口部などの内側層の下に配置される容器の要素が消費者に対して曝露され、アクセス可能になる。
【００１４】
「幅」という用語は、容器のラベルまたはフラップの要素の横断方向で測定される際の寸法を説明するために使用される。「高さ」という用語は、容器のラベルまたはフラップの要素の幅と直角をなす方向で測定される際の寸法を説明するために使用される。ラベルまたはラベルの要素を説明する時は、一般的に平坦な状態のラベルについて言及している。
【００１５】
「内部表面」という用語は、本明細書全体を通して、容器が閉位置にある時に、その容器の内部に向かって（例えば、消費財に向かって）面する、組み立てられた容器の構成要素の表面を意味するために使用される。同様に、「外部表面」という用語は、本明細書全体を通して、その容器の外部に向かって面する容器の構成要素の表面を意味するために使用される。例えば、再封可能な接着ラベルの層は、パッケージの表面から離れるように面する外部表面と、パッケージの表面に面する内部表面と、を備える。注目すべきは、内部表面または外部表面は容器の組立に使用されるブランクの一定の側には必ずしも相当しないことである。消費財の周りでブランクがどのように折り曲げられるかに応じて、容器の同じ側にある区域は、容器の内側に面する可能性も外側に面する可能性もある。
【００１６】
「ヒンジ線」という用語は、容器の要素がその周りを回転しうる線を意味する。例えば、容器を開放するために、ヒンジリッド容器のリッドは回転してもよい。こうした事例では、ヒンジ線は、例えば、ヒンジリッド容器の後部壁を形成するパネル内の折り目またはスコアラインであってもよい。
【００１７】
本明細書では、「永久接着剤」という用語は、２つの基体の間に（例えば、再封可能な接着ラベルの下層と、消費財のパッケージとの間に）、容器の正常かつ意図される使用中に２つの基体が実質的に分離する可能性がないように、信頼性があり、かつ確実な接続を形成する能力を持つ、一般的に粘着性の高い接着剤を意味する。事実、永久接着剤によって互いに貼り付けられた２つの基体の分離は、通常関与する一方または両方の基体の何らかの望ましくない損傷（例えば、断裂）を生じることになる。
【００１８】
「再び封じることができる接着剤」という用語は、本明細書を通して、２つの基体（例えば、再封可能な接着ラベルの上層と下層）の間に接続を形成する能力を持ち、その結果、２つの基体は互いに分離と再付着を繰返すことができ、またその結果、容器のアクセス開口部が１つのこうした接着剤によって再密封される場合に容器の水分バリア特性の著しい増加を容器が示す、一般的に粘着性の低い、取り外し可能な接着剤を説明するために使用される。これは、例えば、機械的な再封が達成されるが、最良の場合でも容器の水分バリア特性のわずかな増加のみを達成できる、フラップの係合によるアクセス開口部の再封とは対照的である。本発明による容器では、消費財のパッケージは、消費財を取り出すことができるアクセス開口部を持ち、また再封可能な接着ラベルは、アクセス開口部を塞ぎ、アクセス開口部の周辺を超えて延びる。再封可能な接着ラベルは、ラベル用材料の少なくとも下層および上層を備える。下層は、アクセス開口部の周辺部の周りに延びる下層の内部表面の第一の区域上に提供される第一の永久接着剤によってパッケージに貼り付けられ、下層はパッケージのアクセス開口部と少なくとも部分的に整列した切り抜き部分を備える。既存の容器とは対照的に、上層は、ラベルの後部に位置する上層の内部表面のヒンジ区域全体に提供される永久接着剤によって少なくとも部分的に永久的に下層に貼り付けられる。さらに、上層は、ヒンジ区域から遠位に延びる上層の内部表面の剥がし区域の上に提供される第二の接着剤によって、少なくとも部分的に取り外し可能に下層に貼り付けられる。したがって、上層は、上層が少なくともアクセス開口部の上にある閉位置から、および内側層の中の切り抜き部分が見えるように、そして消費者にパッケージ内のアクセス開口部を効果的に曝露するために、上層が下層から引き上げられる開位置から移動可能である。第二の接着剤は、永久接着剤である。さらに、再び封じることができる容器は、下層と上層との間に提供される剥離剤を含む層を備え、その結果、閉位置では、上層の内部表面の剥がし区域の前端部分は少なくとも部分的に、剥離剤を含む層の上にある。
【００１９】
本発明による再び封じることができる容器は、上層の内部表面上の第二の再び封じることができる接着剤と、下層の外部表面上の剥離剤との組み合わせのおかげで、簡単な開封を提供する。同時に、本発明による再び封じることができる容器は、容器の最初の開封の前後両方において、容器の中の消費者製品に対する水分の吸収または損失に対する保護の改善を提供する。これは、直接消費財のパッケージと接触する下層は、パッケージに対して移動することを意味せず、例えば、特に粘着性の永久接着剤によって下層をパッケージに貼り付けることによって、再封可能な接着ラベルとパッケージとの間の特に強い結合を達成することができるためである。こうして、容器の最初の開封の前後両方で、パッケージのより効果的な密封が達成される場合があり、その結果、パッケージ内の消費財の鮮度が好都合にもより長い期間保たれる場合があり、また製品の保存寿命を有利にも延ばすことができる。これは、熱帯気候では特に有利である。
【００２０】
さらに、本発明による容器の再封可能な接着ラベルの構築は、アクセス開口部を見えるために必要とされる力、すなわち再封可能な接着ラベルの上層を下層から引き離すために必要とされる「剥がし力」の強化された制御を可能にする。上層と下層との間に提供される剥離剤の量を変化させることによって、有利にも剥がし力を細かく調節することができる。さらに、以下により詳細に説明するように、一部の実施形態では、ラベルの異なる部分が異なる剥がし力の値を確実に示すようにすることができる。これは、閉位置と開位置との間でのラベルの移動間に再封可能な接着ラベルにかけられる引張をより簡単に効果的に制御できるようにする。
【００２１】
本発明による再封可能な接着ラベルを有する再び封じることができるパッケージは、ヒンジリッドハウジングの中に受けられてもよく、また再封可能な接着ラベルとリッドとの間に接続が提供されてもよく、その結果、閉位置と開位置との間のリッドの移動は、再封可能な接着剤層の上層もまたそれぞれ閉位置と開位置との間で動く原因となる。したがって、パッケージのアクセス開口部は、ヒンジリッドハウジングのリッドを消費者が開封する時に「自動的に」見えるようになる場合がある。これらの実施形態では、剥がし力を細かく制御できることは、リッドおよび内側パッケージをより滑らかにかつ同時に開封および閉鎖できるようにするため、なお一層有利である。特に、これは容易に開封できると一般的に知覚される消費財用の容器を提供することを可能にする。
【００２２】
こうした容器では、再封可能な接着ラベルの上層および下層の様々な区域にわたる異なる接着剤の配置のおかげで、リッドが開位置へと移動し、その結果として上層が下層から引き上げられる時、上層が容易にＳ字型（すなわち、１つの変曲点を有する曲線の形態を持つ形状）となることが、驚くべきことに分かった。これは、外側ヒンジリッド容器のリッドが閉位置と開位置との間で移動する時、それぞれ閉位置と開位置との間での上層の移動が非常に簡単になるように容器のより緩やかな開封および閉鎖を助長することが観察されたという点で望ましい。
【００２３】
更に、本発明による再び封じることができる容器は製造が簡単で、かつ既存の装置の大規模な修正を必要としない。
【００２４】
最も一般的な言葉では、本発明による容器は、消費財のパッケージを備え、パッケージはアクセス開口部を持ち、これを通して消費財を取り出すことができる。更に、容器は、パッケージのアクセス開口部を塞ぎ、かつパッケージのアクセス開口部の周辺を超えて延びる、再封可能な接着ラベルを備え、再封可能な接着ラベルは、少なくともラベル用材料の下層および上層を備える。下層は、アクセス開口部の周辺部の周りに延びる下層の内部表面の第一の区域上に提供される第一の永久接着剤によってパッケージに貼り付けられ、下層はパッケージのアクセス開口部と少なくとも部分的に整列した切り抜き部分を備える。さらに、上層は、上層の内部表面の後部ヒンジ区域の上に提供される永久接着剤によって、少なくとも部分的に永久的に下層に貼り付けられる。さらに、上層は、ヒンジ区域から遠位に延びる上層の内部表面の剥がし区域の上に提供される第二の接着剤によって、少なくとも部分的に取り外し可能に下層に貼り付けられる。こうして、上層は、上層が少なくともアクセス開口部の上にある閉位置から、および切り抜き部分が見えるように上層が下層から引き上げられる開位置から移動可能である。第二の接着剤は永久接着剤であり、かつ再び封じることができる容器は下層と上層との間に提供される剥離剤を備える層を更に備える。したがって、閉位置では、上層の内部表面の剥がし区域の前端部分は少なくとも部分的に、剥離剤を備える層の上にある。
【００２５】
剥離剤は、当業者に周知のいくつかのシリコーン系の剥離剤のうちの任意の１つであってもよい。これらには、幅広い多様なオルガノポリシロキサンを含み、ポリジメチルシロキサン、エポキシポリシロキサン、およびこれに類するものなどの高分子量シリコーンポリマーまたはコポリマーが好まれる。剥離剤は、印刷可能な組成物の形態であることが好ましい。別の方法として、当業者に周知の一部の適切なインクが剥離剤として使用されてもよい。一部の実施形態では、剥離剤を備える層は、下層の外部表面の第一の区域の上に塗布され、上層の内部表面の第一の区域の前端部分は少なくとも部分的に、下層の外部表面の第一の区域の上にある。剥離剤を備える層は、下層の外部表面の第一の区域の上に印刷プロセスによって塗布されることが好ましい。これは、下層の表面の特定箇所の表面上に細かく制御された量の剥離剤を塗布することが簡単なため、有利である。
【００２６】
下層の外部表面の第一の区域は少なくとも第一の領域と第二の領域とを備え、第二の領域は第一の領域の後部にあることが好ましい。第一の領域での剥離剤の被覆率は、第二の領域での剥離剤の被覆率より大きい。
【００２７】
「剥離剤の被覆率」という表現は、再封可能な接着ラベルの（例えば、再封可能な接着ラベルの下層の）表面の領域の、すなわち剥離剤でコーティングまたは被覆される表面積の部分または割合を説明するために使用される。剥離剤が領域の表面全体にわたって塗布される場合、剥離剤の被覆率は１００である。剥離剤を領域内に全く塗布しない場合は、剥離剤の被覆率は０である。
【００２８】
例として、再封可能な接着ラベルの表面の領域の上に不連続な繰り返しパターンで剥離剤を塗布してもよい。不連続な繰り返しパターンは、直線状の列、非直線状の列、波状の列、およびこれらの組み合わせなどの、複数の離間した列から成っていてもよい。別の方法として、剥離剤を規則正しく離間した点または島で塗布してもよい。一部の実施形態では、剥離剤の島はタイプフォントの形状を有してもよい。「規則正しく離間」という表現は、各々の点とその隣接する点との間の距離が領域にわたって実質的に一定であることを含意する。明らかなように、これは印刷操作によって剥離剤を塗布する時に好都合なことに達成することができる。こうして、有利にも、０〜１００の範囲の剥離剤の被覆率を、第一の領域および第二の領域に提供することができる。例えば、剥離剤を適切なパターンによって塗布することによって、領域の表面の５０パーセントを剥離剤で被覆することができる。
【００２９】
第一の領域では、剥離剤の被覆率は、少なくとも約６５パーセントであることが好ましく、少なくとも約７０パーセントであることがより好ましい。さらに、または別の方法として、第一の領域での剥離剤の被覆率は、約９５パーセント未満であることが好ましく、約９０パーセント未満であることがより好ましい。
【００３０】
第二の領域では、剥離剤の被覆率は、少なくとも約５０パーセントであることが好ましく、少なくとも約６０パーセントであることがより好ましい。さらに、または別の方法として、第二の領域での剥離剤の被覆率は、約９０パーセント未満であることが好ましく、約８０パーセント未満であることがより好ましい。
【００３１】
一般に、剥離剤の被覆率がより大きい下層の領域から上層を剥がして離すことは、剥離剤の被覆率がより小さい下層の領域から上層を剥がして離すことよりも簡単である。
【００３２】
再び封じることができる容器では、消費者が下にある基体からラベルを引き離し始める時に剥がし力が最高であることが観察され、その後は極大値と極小値との間を行ったり来たりする。当初のピーク剥がし力が絶対的な最大値となることが観察され、これはその後得られる極大値より一般的に著しくより高い。
【００３３】
下層の表面の異なる領域が異なる剥離剤の被覆率を持つ本発明による容器では、例えば、消費者が上層を下層から引き離し始めることが特に簡単になるように、内側層の異なる領域から上層を剥がして離すために必要とされる力を細かく調節することができる。いかなる理論にも束縛されるものではないが、これは上述の当初のピーク剥がし力の著しい低下に対応し、これは特に開封が容易な容器であるという望ましい知覚を消費者に提供する上で非常に有利である。
【００３４】
同時に、上層が閉位置からパッケージのアクセス開口部を曝露するように次第に移動するのに従い、剥がしに対する抵抗を徐々に増加するよう確実にすることが可能である。これは有利にも、パッケージの開封の簡単さと、上層と下層との間の密封および再密封を目的とした十分な接着に対する必要性との間に望ましいバランスを提供する。
【００３５】
第一の領域および第二の領域は、任意の適切な形状を持っていてもよい。一部の好ましい実施形態では、第一の領域および第二の領域は実質的に長方形である。下層の外部表面上にバンドを画定するように、第一の領域および第二の領域が下層の幅全体を横切って横断方向に延びることがなおより好ましい。
【００３６】
第一の領域および第二の領域は、互いに実質的に隣接する場合がある。別の方法として、第一の領域および第二の領域は、下層の幅と直角をなす方向について互いに距離を置いていてもよい。一部の好ましい実施形態では、第一の領域および第二の領域は、下層の幅全体を横切って横断方向に延びる、隣接した横断方向のバンドを画定する。
【００３７】
一部の特に好ましい実施形態では、下層の外部表面の第一の区域は、第二の領域の後部に第三の領域を更に備える。第二の領域での剥離剤の被覆率は、第三の領域での剥離剤の被覆率より大きい。第三の領域では、剥離剤の被覆率は、少なくとも約３０パーセントであることが好ましく、少なくとも約４０パーセントであることがより好ましい。さらに、または別の方法として、第三の領域での剥離剤の被覆率は、約６０パーセント未満であることが好ましく、約７０パーセント未満であることがより好ましい。
【００３８】
例示的な実施形態では、剥離剤の被覆率は第一の領域では約９５パーセントであり、第二の領域では約８０パーセントであり、また第三の領域では約５０パーセントである。
【００３９】
上層の内部表面の後部ヒンジ区域の下にある下層の外部表面の第二の区域は、実質的に剥離剤を含まないことが好ましい。永久接着剤が塗布される上層の区域に面する下層の外部表面の後部における１つのこうした区域が実質的に剥離剤を含まないことを確実にすることによって、特に隙間のない安定な上層と下層との間の接合を有利にも確保することができる。実際には、再封可能なラベルの後部において互いにしっかりと貼り付けられた２つの層を持つことによって、下層に常時接続されたままである一方で上層を下層から剥がして離すことができるように、下層に対して周りに回転するように、上層のために強いヒンジが効果的に提供される。
【００４０】
上層の内部表面の前端に接着剤のない区域が提供されることが好ましい。これは、使用中に上層がそれ自体にくっつく可能性を低減する上で有利である。
【００４１】
一部の好ましい実施形態では、内側層内の切り抜き部分は、内側層の被覆部分を少なくとも部分的に区切る虚弱線によって画定され、その結果、被覆部分は、アクセス開口部が見えるようにパッケージの上部が引き上げられる内側層の残りの部分から部分的に分離可能である。さらに、容器は、上層の内部表面の固定区域の上に提供される永久接着剤の層を備え、固定区域は内側層の被覆部分の周辺の中に完全に含まれ、その結果、被覆部分は外側層に永久的に貼り付けられる。こうした実施形態では、下層の被覆部分の外部表面の少なくとも一部分は、実質的にいかなる剥離剤も含まず、その結果、上層と下層との間の強い結合が常時確保される。
【００４２】
したがって、これらの剥離剤を備える１つ以上のバンドが下層の外部表面の上に提供される実施形態では、これらは上層の内部表面の固定区域の下にある、下層の外側区域の部分を横切って延びないことが好ましい。
【００４３】
一部の実施形態では、上層の内部表面の固定区域は、下層内の被覆部分の一部のみの上にあってもよい。別の方法として、固定区域は、下層内の被覆部分の全体の上にあってもよく、かつヒンジ区域までずっと後方に延びてもよい。したがって、ヒンジ区域と固定区域とは、上層の内部表面上に永久接着剤を含む、実質的にＴ字型の区域をともに形成し、ヒンジ区域は一般的にＴ字の細い横棒を画定し、固定区域は通常Ｔ字の比較的太い縦棒を画定する。
【００４４】
パッケージは、２４時間あたり約１グラム／平方メートル未満の水蒸気透過率（ＭＴＶＲ）を持つ熱密封可能な柔軟な材料から形成されることが好ましい。パッケージが、２つ以上の層を備える熱密封可能な柔軟な積層材料から形成され、２つ以上の層のうちの１つがアルミニウムを含み、かつ少なくとも約４マイクロメートルの厚さを持つことがより好ましい。アルミニウムを含む層は、少なくとも約６マイクロメートルの厚さを持つことがなおより好ましい。
【００４５】
さらに、または別の方法として、アルミニウムを含む層は約１２マイクロメートル未満の厚さを持つことが好ましい。アルミニウムを含む層は、約１０マイクロメートル未満の厚さを持つことがより好ましい。
【００４６】
本発明による容器には、消費財用の容器、特に喫煙物品などの細長い消費財用の容器としての用途があることが好ましい。しかし、これはいくつかの他のタイプの消費財用にも使用することができる。
【００４７】
一部の好ましい実施形態では、再封可能な接着ラベルの外側層が、リッドの内部表面に永久的に貼り付けられ、その結果、リッドを開放すると、パッケージのアクセス開口部が少なくとも部分的に見えるように、再封可能な接着ラベルの外側層が、閉位置から開位置に向かって移動する。
【００４８】
再び封じることができる容器は、上層の前端に配置された、上層の外部表面の第一の区域の上に提供されるプライマーの層を備えることが好ましい。これは、プライマーにより上層が外側のヒンジリッド容器のリッドにしっかりと付着することが簡単になるため有利である。上層をリッドに強く固定することによって、ひいてはリッドの開封と閉鎖の繰り返しにもかかわらず、上層がリッドから引き離される可能性が低くなるので、「自動」の開封機構の信頼性を改善することができる。
【００４９】
「剥がし力」という用語は、本明細書では、再封可能な接着ラベルの下層から上層を引き離すために必要とされる力を説明するために使用される。下層から上層を引き離し始めるために「ピーク剥がし力」が一般的に必要とされるのに対して、下層から上層の残りの部分を後部ヒンジ区域までずっと漸進的に引き上げて離し続けるためには通常より小さい力しか必要とされないことが観察されてきた。一般に、上層が下層から漸進的に引き離される際に、剥がし力が極大値と極小値との間で行ったり来たりすることが観察されてきた。これは、再び封じることができる容器がヒンジリッドハウジングのボックスの中に受けられ、かつ上層がリッドに貼り付けられる本発明による容器、すなわち、閉位置と開位置との間のリッドの動きが再封可能な接着ラベルの上層に剥がし力を適用することによる容器でも生じる。
【００５０】
したがって、関連のある間隔全体にわたって測定される剥がし力関数の平均値である「平均剥がし力」に言及することは有用である。実際には、剥がし力は下層から上層が後部ヒンジ区域までずっと剥がされる（完全な開位置）際に測定され、微積分学でいう「関数の平均値」の許容された定義により、平均剥がし力が次に計算される。
【００５１】
再封可能な接着ラベルの平均剥がし力に対する許容できる値、すなわち、ラベルの上層をラベルの下層から剥がすために必要とされる平均力は、約０．１５ニュートン〜約１ニュートンと考えられる。
【００５２】
本発明による容器内の再封可能なラベルの平均剥がし力は、約０．３５〜約０．５５ニュートンであることが好ましく、約０．４０ニュートン〜約０．５０ニュートンであることがより好ましい。
【００５３】
上層を下層から引き離し始めるために必要とされるピーク剥がし力は、約１０ニュートン未満であることが好ましく、約８ニュートン未満であることがより好ましく、約５ニュートン未満であることがなおより好ましい。一部の好ましい実施形態では、再封可能な接着ラベルのピーク剥がし力は、約２ニュートン〜約１０ニュートンである。
【００５４】
さらに、または別の方法として、再封可能な接着ラベルのピーク剥がし力は、再封可能な接着ラベルの平均剥がし力の約１２倍未満であることが好ましい。再封可能な接着ラベルのピーク剥がし力は、再封可能な接着ラベルの平均剥がし力の１０倍未満であることがより好ましい。ピーク開封力は、再封可能な接着ラベルの平均剥がし力の約８倍未満であることがなおより好ましい。
【００５５】
ヒンジリッド容器は、厚紙、板紙、プラスチック、金属、またはその組み合わせを含むがこれに限定されない、任意の適切な材料または材料の組み合わせのブランクから形成されてもよい。そのブランクは、約１００グラム／平方メートル〜約３５０グラム／平方メートルの重さを有する層状厚紙ブランクであることが好ましい。
【００５６】
ヒンジリッド容器は、随意に外側ラッパーを含んでもよく、これは、例えば、高密度または低密度ポリエチレン、ポリプロピレン、方向性ポリプロピレン、ポリ塩化ビニリデン、セルロースフィルム、またはその組み合わせなどの透明高分子フィルムであることが好ましく、また外側ラッパーは、従来的な方法で適用される。外側ラッパーはティアテープを含んでもよい。さらに、外側ラッパーは画像、消費者情報、またはその他のデータを印刷されていてもよい。
【００５７】
再封可能な接着ラベルの層のための適切な材料は当業者には周知であろう。実施例としては、ポリプロピレン、ポリエチレンテレフタラート、ポリエチレンなどの熱可塑性樹脂材料が挙げられる。好ましい一実施形態では、下層は、ポリプロピレンを含み、上層は、ポリエチレンテレフタラートを含む。
【００５８】
一部の実施形態では、上層は下層より厚い。
【００５９】
本発明による容器では、上層は少なくとも約３０マイクロメートルの厚さを持つことが好ましい。上層は、少なくとも約３５マイクロメートルの厚さを持つことがより好ましい。さらに、または別の方法として、上層は約７０マイクロメートル未満の厚さを持つことが好ましい。上層は、約６０マイクロメートル未満の厚さを持つことがより好ましい。好ましい実施形態では、上層は約５０マイクロメートルの厚さを持つ。
【００６０】
下層は、少なくとも約２０マイクロメートルの厚さを持つことが好ましい。下層は、少なくとも約２５マイクロメートルの厚さを持つことがより好ましい。さらに、または別の方法として、下層は約４０マイクロメートル未満の厚さを持つことが好ましい。下層は、約３５マイクロメートル未満の厚さを持つことがより好ましい。好ましい実施形態では、下層は約３０マイクロメートルの厚さを持つ。
【００６１】
本発明による容器の一部の好ましい実施形態では、上層は、約５０マイクロメートルの厚さを持ち、また下層は約３０マイクロメートルの厚さを持つ。
【００６２】
本発明による容器で使用するために適切ないくつかの再び封じることができる永久接着剤が市販されており、また当業者には周知であろう。
【００６３】
外側のヒンジリッド容器は、幅の狭い２つの壁によって間隙を介した、幅の広い２つの壁を備える直方体であることが好ましい。本発明によるヒンジリッド容器は、直角の長軸方向の端と直角の横断方向の端とを有する直方体の形状であってもよい。別の方法として、ヒンジリッド容器は、１つ以上の長軸方向の丸みのある端、横断方向の丸みのある端、長軸方向の丸みを付けた端、または横断方向の丸みを付けた端、またはその組み合わせを含んでもよい。
【００６４】
ここで、以下の添付図面を参照しながら本発明をさらに説明するが、これは例証としてのみである。
【図面の簡単な説明】
【００６５】
【図１】図１は、本発明による容器の概略的な斜視図を示す。
【図２】図２は、本発明による容器のためのラベルの下層の内部表面の概略的な上面図を示す。
【図３】図３は、図２のラベルの下層の外部表面の概略的な上面図を示す。
【図４】図４は、図２のラベルの上層の内部表面の概略的な上面図を示す。
【図５】図５は、図２のラベルの上層の外部表面の概略的な上面図を示す。
【図６】図６は、本発明による容器のためのラベルの別の実施形態の上層の内部表面の概略的な上面図を示す。
【発明を実施するための形態】
【００６６】
図１は、本発明による容器１０を示す。容器１０は、直方体であり、かつボックス１４とリッド１６とを含む、外側ハウジング１２を備える。リッド１６は、ハウジング１２の後部壁を横切って延びるヒンジ線を中心としてヒンジ留めされ、かつ開位置（図１に示す）と閉位置との間で回転可能である。更に、容器１０は、ボックス１４の中に収容されている喫煙物品の内側パッケージ１８を備える。内側パッケージ１８は、内側パッケージの上部壁および前部壁を横切って延びるアクセス開口部を備える。リッド１６が開位置にある時に、アクセス開口部を通して内側パッケージ１８内に含有される喫煙物品を取り出すことができる。内側パッケージ１８は、パッケージのアクセス開口部を塞ぎ、かつパッケージのアクセス開口部の周辺部を超えて延びる、再封可能な接着ラベル２２を備える。より詳細には、再封可能な接着ラベル２２は、ラベル用材料の少なくとも下層２４および上層２６を備える。下層２４はポリプロピレンを含み、かつ約３０マイクロメートルの厚さを持つ。上層２６はポリエチレンテレフタラートを含み、かつ約５０マイクロメートルの厚さを持つ。
【００６７】
下層２４は、内側パッケージ１８のアクセス開口部２０と少なくとも整列する切り抜き部分２８を備え、かつ下層２４の内部表面の第一の区域３０（図２を参照のこと）の上に提供されたアクセス開口部の周辺の周りに延びる第一の永久接着剤によって内側パッケージ１８に貼り付けられる。
【００６８】
上層２６は、上層２６の内部表面の後部ヒンジ区域３２（図４を参照のこと）の上に提供される永久接着剤によって部分的に永久的に下層２４に貼り付けられる。さらに、上層２６は、後部ヒンジ区域３２から遠位に延びる、上層の内部表面の剥がし区域３４（図５参照のこと）の上に提供される第二の接着剤によって部分的に取り外し可能に下層２４に貼り付けられ、その結果、上層２６は、上層２６が少なくともアクセス開口部２０の上にある閉位置から、および切り抜き部分２８が見えるように上層２６が下層２４から引き上げられる開位置から移動可能である。第二の接着剤は永久接着剤である。上層２６もリッド１６の内部表面に永久的に貼り付けられ、その結果、リッド１６を開放すると、アクセス開口部２０が少なくとも部分的に見えるように再封可能な接着ラベル２２の上層２６は閉位置から開位置に向かって移動する。
【００６９】
さらに、再び封じることができる容器１０は、下層２４と上層２６との間に提供されるシリコーン系の剥離剤を含む層を備え、その結果、閉位置では、上層の内部表面の剥がし区域３４の前端部分は少なくとも部分的に、剥離剤を含む層の上にある。より詳細には、剥離剤を備える層は、下層２４の外部表面の第一の区域３６（図３を参照のこと）の上に印刷することによって塗布され、上層２６の内部表面の剥がし区域３４の前端部分は、少なくとも部分的に下層２４の外部表面の第一の区域３６の上にある。
【００７０】
図３に図示されるように、下層２４の外部表面の第一の区域３６は、少なくとも第一の領域３８、第二の領域４０、および第三の領域４２を備える。第二の領域４０は、第一の領域３８と実質的に隣接し、かつその後方にある。第三の領域４２、第二の領域４０と実質的に隣接し、かつその後方にある。第一の領域３８では、剥離剤の被覆率は約９５パーセントである。第二の領域４０では、剥離剤の被覆率は約８０パーセントである。第三の領域４２では、剥離剤の被覆率は約５０パーセントである。
【００７１】
上層２６の内部表面の後部ヒンジ区域３０の下にある下層２４の外部表面の第二の区域４４は、実質的に剥離剤を含まない。さらに、図４に図示されるように、上層２６の前端に配置される、上層の内部表面の更なる区域４６は、実質的に接着剤を含まない。
【００７２】
図２〜図５に示す実施形態では、内側層２４内の切り抜き部分２８は、内側層２４の被覆部分５０を少なくとも部分的に区切る虚弱線４８によって画定される。こうして、被覆部分５０は、アクセス開口部２０が見えるように、内側パッケージ１８の上部から引き上げられるように、内側層２４の残りの部分から部分的に分離可能である。被覆部分５０の外部表面の少なくとも一部分は、実質的に剥離剤を含まない。さらに、容器１０は、上層の内部表面の固定区域５２（図４を参照のこと）の上に提供される永久接着剤の層を備え、固定区域の周辺は内側層の被覆部分５０の周辺の中に完全に含まれる。こうして、被覆部分５０は外側層２４に永久的に貼り付けられる。
【００７３】
図５に図示されるように、プライマーの層は、上層２６の前端に配置される、上層の外部表面の第一の区域５４の上に提供される。再封可能な接着ラベル２２の上層２６は、第一の区域５４内のプライマーの層にわたって提供される永久接着剤によって外側ハウジング１２のリッド１６に強く貼り付けられる。
【００７４】
本発明による容器で使用するための再封可能な接着ラベルの更なる実施形態は、再封可能な接着ラベルの上層１２６の内部表面を示す図６を参照しながら説明される。上層１２６は、本発明による容器で使用するための再封可能な接着ラベルを提供するために、例えば、図２および図３の下層と組み合わせられてもよい。
【００７５】
１つのこうした実施形態では、上層１２６の内部表面の固定区域１５２の上に永久接着剤の層が提供される。固定区域１５２は、下層内の被覆部分の全体の上にあり、かつ後部ヒンジ区域１３０までずっと効果的に後方に延びる。こうして、ヒンジ区域１３２および固定区域１５２は一緒に、上層の内部表面上に永久接着剤を含む実質的にＴ字型の区域を形成する。後部ヒンジ区域１３０はＴ字型の横棒を画定し、固定区域１５２はＴ字型の太い縦棒を画定する。さらに、上層１２６の前端に配置される、上層の内部表面のタブを画定する区域１４６は、実質的に接着剤を含まない。
【手続補正２】
【補正対象書類名】特許請求の範囲
【補正対象項目名】全文
【補正方法】変更
【補正の内容】
【特許請求の範囲】
【請求項１】
消費財用の再び封じることができる容器であって、
消費財のパッケージであって、消費財を取り出すことができるアクセス開口部を持つ消費財のパッケージと、
前記パッケージの前記アクセス開口部を塞ぎ、かつ前記パッケージの前記アクセス開口部の周辺部を超えて延びる、再封可能な接着ラベルと、を備え、
前記再封可能な接着ラベルが、ラベル用材料の少なくとも下層および上層を備え、
前記下層が、前記アクセス開口部の前記周辺部の周りに延びる前記下層の前記内部表面の第一の区域上に提供される第一の永久接着剤によって前記パッケージに貼り付けられ、前記下層が前記パッケージの前記アクセス開口部と少なくとも部分的に整列した切り抜き部分を備え、
前記上層が、前記上層の前記内部表面の後部ヒンジ区域の上に提供される永久接着剤によって少なくとも部分的に永久的に前記下層に貼り付けられ、かつ前記ヒンジ区域から遠位に延びる前記上層の前記内部表面の剥がし区域の上に提供される第二の接着剤によって少なくとも部分的に取り外し可能に前記下層に貼り付けられ、その結果、前記上層は、前記上層が少なくとも前記アクセス開口部の上にある閉位置から、および前記切り抜き部分が見えるように前記上層が前記下層から引き上げられる開位置から移動可能になり、
前記第二の接着剤が永久接着剤であり、また前記再び封じることができる容器が、前記下層と前記上層との間に提供され、かつ前記下層の前記外部表面の第一の区域上に塗布される剥離剤を備える層を更に備え、その結果、前記閉位置にある時、前記上層の前記内部表面の前記剥がし区域の前端部分が少なくとも部分的に前記下層の前記外部表面の前記第一の区域および前記剥離剤の層の上にあり、
前記下層の前記外部表面の前記第一の区域が少なくとも第一の領域および第二の領域を備え、前記第二の領域は前記第一の領域の後部にあり、かつ前記第一の領域での剥離剤の被覆率が前記第二の領域での剥離剤の被覆率より大きい、再び封じることができる容器。
【請求項２】
前記剥離剤を備える前記層が、前記下層の前記外部表面の前記第一区域の上に印刷される、請求項１に記載の再び封じることができる容器。
【請求項３】
前記第一の領域での前記剥離剤の被覆率が約６５パーセント〜約９５パーセントである、請求項１または２に記載の再び封じることができる容器。
【請求項４】
前記第二の領域での前記剥離剤の被覆率が約４０パーセント〜約６０パーセントである、請求項１〜３のいずれか１項に記載の再び封じることができる容器。
【請求項５】
前記上層の前記内部表面の前記後部ヒンジ区域の下にある前記下層の前記外部表面の第二の区域が実質的に剥離剤を含まない、請求項１〜４のいずれか１項に記載の再び封じることができる容器。
【請求項６】
前記内側層内の前記切り抜き部分は前記内側層の被覆部分を少なくとも部分的に区切る虚弱線によって画定され、その結果、前記アクセス開口部が見えるように前記パッケージの前記上部を持ち上げて離すように、前記被覆部分は前記内側層の前記残りの部分から部分的に分離可能であり、前記被覆部分の前記外部表面の少なくとも一部分は実質的に剥離剤を含まず、また前記容器は前記上層の前記内部表面の固定区域の上に提供される永久接着剤の層を備え、前記固定区域の周辺は前記内側層の前記被覆部分の前記周辺の中に完全に含まれ、その結果、前記被覆部分が前記外側層に永久的に貼り付けられる、請求項１〜５のいずれか１項に記載の再び封じることができる容器。
【請求項７】
前記パッケージが、２４時間あたり約１グラム／平方メートル未満の水蒸気透過率（ＭＴＶＲ）を持つ熱密封可能な柔軟な材料から形成される、請求項１〜６のいずれか１項に記載の再び封じることができる容器。
【請求項８】
前記パッケージが、２つ以上の層を備える熱密封可能な柔軟な積層材料から形成され、前記２つ以上の層のうちの１つがアルミニウムを含み、かつ少なくとも約４マイクロメートルの厚さを持つ、請求項１〜７のいずれか１項に記載の再び封じることができる容器。
【請求項９】
前記消費財が喫煙物品である、請求項１〜８のいずれか１項に記載の再び封じることができる容器。
【請求項１０】
消費財用のヒンジリッド容器であって、
ボックスと、
前記ヒンジリッド容器の後部壁を横切って延びるヒンジ線に沿って前記ボックスにヒンジ留めされたリッドと、
前記ボックスの中にある、請求項１〜１１のいずれか１項に記載の再び封じることができる容器と、を備える、ヒンジリッド容器。
【請求項１１】
前記再封可能な接着ラベルの前記上層が、前記リッドの内部表面に永久的に貼り付けられ、その結果、前記リッドを開放すると、前記アクセス開口部が少なくとも部分的に見えるように前記再封可能な接着ラベルの前記上層が、前記閉位置から前記開位置に向かって移動する、請求項１０に記載のヒンジリッド容器。
【請求項１２】
前記再び封じることができる容器が、前記上層の前記前端に配置された、前記上層の前記外部表面の第一の区域の上に提供されるプライマーの層を備える、請求項１０に記載のヒンジリッド容器。
【請求項１３】
前記再封可能な接着ラベルのピーク剥がし力が約１０ニュートン未満である、請求項１１または１２に記載のヒンジリッド容器。
【国際調査報告】
2018515395.tif 000009
2018515395.tif 000010
2018515395.tif 000011
2018515395.tif 000012